(57)【要約】【課題】未使用品か使用済み品であるかの識別が容易になされる穿刺針及びそのキャップを提供する。【解決手段】穿刺針１０ａは、皮膚を穿刺する針２０と、針２０が突出可能な開口部４２を備え、針２０を備える穿刺針ユニット１５保持する筒状のハウジング１８と、開口部４２を塞ぐキャップ１４ａとを有する。キャップ１４ａは、開口部４２を覆う蓋部４４と、開口部４２の内部に挿入される再装着阻止部４６とを備える。再装着阻止部４６は基端部４６ａが蓋部４４に接続された弾性体であって、開口部４２から抜かれたときには再装着阻止部４６の先端部４６ｂに向かって拡径する形状である。再装着阻止部４６が開口部４２から抜かれたときには、先端部４６ｂの外径は開口部４２の端面の内径よりも大径である。【選択図】図４
0003115405.tif 000002
【実用新案登録請求の範囲】
【請求項１】
穿刺装置に対して着脱自在な穿刺針であって、
皮膚を穿刺する針と、
前記針が突出可能な開口部を備え、前記針を保持する筒状のハウジングと、
前記開口部を塞ぐキャップと、
を有し、
前記キャップは、前記開口部を覆う蓋部と、
前記開口部の内部に挿入される再装着阻止部と、
を備え、
前記再装着阻止部は基端部が前記蓋部に接続された弾性体であって、前記開口部から抜かれたときには前記再装着阻止部の先端部に向かって拡径する形状であることを特徴とする穿刺針。
【請求項２】
請求項１記載の穿刺針において、
前記ハウジングは、前記開口部の端面の内径よりも前記再装着阻止部が挿入される開口部内面の内径の方が大径であることを特徴とする穿刺針。
【請求項３】
請求項１又は２記載の穿刺針において、
前記再装着阻止部が前記開口部から抜かれたときには、前記先端部の外径は前記開口部の端面の内径よりも大径であることを特徴とする穿刺針。
【請求項４】
請求項１〜３のいずれか１項に記載の穿刺針において、
前記再装着阻止部は、軸方向に延在する複数のスリットにより分割され、複数の脚部を形成することを特徴とする穿刺針。
【請求項５】
穿刺装置に対して着脱自在で、皮膚を穿刺する針、及び該針を保持する筒状のハウジングを備える穿刺針のキャップであって、
前記ハウジングにおける前記針が突出可能な開口部を覆う蓋部と、
前記開口部の内部に挿入される再装着阻止部と、
を備え、
前記再装着阻止部は基端部が前記蓋部に接続された弾性体であって、前記開口部から抜かれたときには前記再装着阻止部の先端部に向かって拡径する形状であることを特徴とする穿刺針のキャップ。
【考案の詳細な説明】
【技術分野】
【０００１】
本考案は、穿刺装置に対して着脱自在で、皮膚を穿刺する針、及び針を保持する筒状のハウジングを備える穿刺針及びそのキャップに関する。
【背景技術】
【０００２】
糖尿病患者には、血糖値の変動を自分自身で測定することによる日常的な自己管理が推奨されている。血糖値の測定は、血液中のブドウ糖量に応じて呈色する試薬が含浸された試験紙を装着し、該試験紙に血液を供給して呈色させ、その呈色の度合いを光学的に測定することにより血糖値を求めて表示をする血液成分測定装置が実用化されている。また、電気化学センサーを用いた血液成分測定装置も実用化されている。
【０００３】
一方、患者が自分の血液を採取する際には、軸方向に進退可能な針を備える穿刺針が装着された穿刺装置を用いる。穿刺針は穿刺装置に対して着脱自在であって、内部の針に対して弾性体による反発力を与えて瞬間的に突出させて該針が皮膚（例えば、指、てのひら、腕等）を穿刺することにより血液を微量出血させる。穿刺後には、所定の戻り機構によって針は後退する。
【０００４】
穿刺針の内部の針は使用時まで清潔に保たれていることが望ましく、内腔部の先端を覆うキャップが嵌合された穿刺針が提案されている（例えば、特許文献１参照）。
【０００５】
キャップは使用時に取り外されて開口部が露呈され、内部の針が突出可能となり、穿刺装置に装着した後所定の付勢機構によって針が突出して穿刺を行う。穿刺を行った後には穿刺針は穿刺装置から取り外され、所定の手順によって破棄される。
【０００６】
【特許文献１】特開２００４−２６７６５４号公報
【考案の開示】
【考案が解決しようとする課題】
【０００７】
ところで、穿刺を行った後の穿刺針は、再度の穿刺に用いることができないように所定のインターロック機構が内部に設けられているが、キャップを容易に再装着することができると、未使用のものか、穿刺を行ったものであるのか見かけ上の区別が困難である。
【０００８】
使用済みの穿刺針を再使用しようとすると、所定のボタン操作を行っても前記インターロック機構の作用により穿刺はなされないが、その時点で初めて使用済み品であることが識別されて、未使用品に交換しなければならないという余計な手間が生ずる。
【０００９】
本考案はこのような課題を考慮してなされたものであり、未使用品か使用済み品であるかの識別が容易になされる穿刺針及びそのキャップを提供することを目的とする。
【課題を解決するための手段】
【００１０】
本考案に係る穿刺針は、穿刺装置に対して着脱自在な穿刺針であって、皮膚を穿刺する針と、前記針が突出可能な開口部を備え、前記針を保持する筒状のハウジングと、前記開口部を塞ぐキャップとを有し、前記キャップは、前記開口部を覆う蓋部と、前記開口部の内部に挿入される再装着阻止部とを備え、前記再装着阻止部は基端部が前記蓋部に接続された弾性体であって、前記開口部から抜かれたときには前記再装着阻止部の先端部に向かって拡径する形状であることを特徴とする。
【００１１】
また、本考案に係る穿刺針のキャップは、穿刺装置に対して着脱自在で、皮膚を穿刺する針、及び該針を保持する筒状のハウジングを備える穿刺針のキャップであって、前記ハウジングにおける前記針が突出可能な開口部を覆う蓋部と、前記開口部の内部に挿入される再装着阻止部とを備え、前記再装着阻止部は基端部が前記蓋部に接続された弾性体であって、前記開口部から抜かれたときには前記再装着阻止部の先端部に向かって拡径する形状であることを特徴とする。
【００１２】
これにより、キャップを開口部から抜くときに、再装着阻止部の先端部は弾性的に一度縮径し、抜かれた後には拡径することになり、開口部に対して容易には再挿入することができない。したがって、穿刺針はキャップの有無により使用済み品であるか未使用品であるか外観上容易に識別可能となる。
【００１３】
この場合、前記ハウジングは、前記開口部の端面の内径よりも前記再装着阻止部が挿入される開口部内面の内径の方が大径であると、該開口内面に前記再装着阻止部が係合することによりキャップが不用意に抜けることが防止され、しかも、装着時に再装着阻止部が定常的な弾性変形を受けることがなく、長期間の保管時にも経時変化することがない。
【００１４】
また、前記再装着阻止部が前記開口部から抜かれたときには、前記先端部の外径は前記開口部の端面の内径よりも大径であると、開口部に対する再挿入が一層確実に防止される。
【００１５】
前記再装着阻止部は、軸方向に延在する複数のスリットにより分割され、複数の脚部を形成していると成型が容易であり、しかも所定の治具等を用いて開口部に挿入する組み立て作業が容易となる。
【考案の効果】
【００１６】
穿刺針が未使用品か使用済み品であるかの識別が容易になされる。したがって、穿刺装置に装着した後に使用済み品であることに気づいて未使用品に交換するという余計な手間が生じない。
【考案を実施するための最良の形態】
【００１７】
以下、本考案に係る穿刺針及びそのキャップについて第１及び第２の実施形態を挙げ、添付の図１〜図１２を参照しながら説明する。第１及び第２の形態に係る穿刺針１０ａ及び１０ｂは、穿刺装置（図３参照）１００に対して着脱自在であって、穿刺用に用いられるものである。
【００１８】
図１に示すように、第１の実施形態に係る穿刺針１０ａは、チップ本体１２と、キャップ１４ａとからなる。チップ本体１２は、皮膚を穿刺する穿刺針ユニット１５と、穿刺針ユニット１５に係合している摺動リング１６と、穿刺針ユニット１５を保持する筒状のハウジング１８とを有する。
【００１９】
穿刺針ユニット１５は、先端の針２０と、該針２０の後方部と一体的に成型されたハブ２２とを有する。ハブ２２は、前方に突出した上下２本の弾性レバー２４と、やや後方の円筒形状の摺動支持部２６と、後端に突出した被把持突起２８とを有する。摺動支持部２６及び摺動リング１６の外径は、ハウジング１８の内径と略同径であって、ハウジング１８内を軸方向に摺動可能である。摺動支持部２６の周面には浅い環状のアンダーカット３０が設けられている。
【００２０】
２本の弾性レバー２４は摺動リング１６の内部に挿入されるとともに、外径方向に弾性付勢されており、摺動リング１６と当接している。摺動リング１６の後端面は、弾性レバー２４の外径側に設けられた微小段差２４ａに係合しており、穿刺針ユニット１５が前進する際には、同時に押し出されることになる。また、弾性レバー２４における摺動リング１６の当接部よりも前方外周部には突起や段差がなく、穿刺針ユニット１５が後退する際には摺動リング１６は抜かれやすい。
【００２１】
ハウジング１８は、略筒形状であって先端の縮径部３２と、該縮径部３２のやや後方に設けられた内周段差部３４と、中程やや前方における内周面に僅かに突出した前方環状膨出部３６と、中程やや後方における外周に設けられたリブ３８と、後方内周面に僅かに突出した後方環状膨出部４０とを有する。前方環状膨出部３６は、穿刺針ユニット１５が前進する際に摺動リング１６が乗り超えられる程度の低い膨出部である。摺動支持部２６のアンダーカット３０は、後方環状膨出部４０と軽く係合して固定されている。後方環状膨出部４０とアンダーカット３０の係合により針２０の後方部は気密性が保たれる。
【００２２】
縮径部３２は、外周面及び内周面とも先端に向かって同程度の傾斜で縮径する形状であって、先端には円形の開口部４２が設けられている。
【００２３】
図１及び図２に示すように、キャップ１４ａは、開口部４２を塞ぐためのものであって、開口部４２を覆う蓋部４４と、開口部４２の内部に挿入される再装着阻止部４６とを有する。蓋部４４は、開口部４２の端面に当接する露呈部４８と、開口部４２に嵌合する嵌合部５０とを有する。露呈部４８は開口部４２の端面よりも大径であって該端面を覆っている。嵌合部５０の外径は、開口部４２の端面の内径Ｂよりも僅かに大径に設定されており、開口部４２に対して密着して嵌合し、ハウジング１８の先端部を気密に保つ。なお、前記のとおり、ハウジング１８内の後方部は後方環状膨出部４０によって気密に保たれていることから、ハウジング１８内は前方、後方とも気密であり、あらかじめγ線照射、電子線照射等の滅菌処理を行うことにより滅菌状態が保たれる。嵌合部５０と開口部４２の軸方向長さは等しく設定されている。
【００２４】
再装着阻止部４６は弾性体であって、軸方向に延在するスリット５２ａにより４分割された脚５２を形成している。したがって、キャップ１４ａの成型が容易であり、しかも所定の治具等を用いて開口部４２に挿入する組み立て作業が容易となる。さらに、スリット５２ａが設けられていることにより適度に縮径しやすく、キャップ１４ａを抜き取る際に過度の抵抗が生じない。再装着阻止部４６が複数の脚５２から形成されている場合には、再装着阻止部４６の全体が弾性体である必要はなく、基端部４６ａのみを弾性体としてもよい。
【００２５】
また、再装着阻止部４６は基端部４６ａが蓋部４４の嵌合部５０に接続されており、開口部４２から抜かれたとき（図４参照）には、再装着阻止部４６の先端部４６ｂに向かって拡径する形状であり、先端部４６ｂの外径Ａは開口部４２の端面の内径Ｂよりも大径である。再装着阻止部４６が拡径する傾斜角度θ1（図４参照）は、０〜９０°が好ましい。また、これに対応する縮径部３２の内周面における縮径の傾斜角度θ2は、傾斜角度θ1と等しいか又は傾斜角度θ1以下に設定されている。これにより、仮にキャップ１４ａの塑性変形が生じた場合においても再装着阻止の機能が確保される。また、ハウジング１８の縮径部３２は縮径形状であることから、開口部４２の端面の内径Ｂよりも再装着阻止部４６が挿入される内面の内径Ｃの方が大径である。したがって、開口内面に再装着阻止部４６が係合することによりキャップ１４ａが不用意に抜けることが防止され、しかも、装着時に再装着阻止部４６が定常的な弾性変形を受けることがなく、長期間の保管時にも経時変化することがない。
【００２６】
次に、穿刺針１０ａが装着される穿刺装置１００について図３を参照しながら説明する。
【００２７】
図３に示すように、穿刺装置１００はケース本体１０２をベースに構成されており、穿刺深さの設定を行うダイヤル部１０４と、軸方向に進退可能なプランジャ１０６と、該プランジャ１０６の中段部に同軸配置された駆動用コイルスプリング１０８と、後端部に同軸配置された戻り用コイルスプリング１１０と、プランジャ１０６を後方に引き戻すリチャージレバー１１４と、ケース本体１０２の一部である穿刺ボタン１１６と、戻り用コイルスプリング１１０の後端部に対して当接支持するばね受けリング１１７とを有する。
【００２８】
プランジャ１０６は、前方に延在する把持バー１１８と、上方中段部から前方に向けて延在する弾性片１２０と、前記駆動用コイルスプリング１０８の一端に対して当接支持する中段フランジ１２４と、突出時の抜け止めとして作用する突出片１２８と、ばね受けリング１１７の後端面に係合する弾性フック１２９とを有する。
【００２９】
把持バー１１８の先端には、穿刺針１０ａにおける被把持突起２８を弾性的に把持可能な２本の挟持材１３０が設けられている。ダイヤル部１０４には内径側に向かって突出した第１リング部１３２が設けられており、これより後方には、リチャージレバー１１４から内径側に向かって突出した第２リング部１３４がそれぞれプランジャ１０６と同軸状に設けられている。
【００３０】
第１リング部１３２の前方面は駆動用コイルスプリング１０８の端部に対して当接支持し、図３に示す初期状態においては、中段フランジ１２４とともに駆動用コイルスプリング１０８をやや圧縮した状態に保つ。第１リング部１３２の後方面は、プランジャ１０６が突出する際に突出片１２８に当接してそれ以上の進出を制限する。この第１リング部１３２は、ダイヤル部１０４を回転することにより後方の厚さが調整され、穿刺時における針２０の突き出し量が調整可能である。
【００３１】
第２リング部１３４の後方面は、戻り用コイルスプリング１１０の一端に当接支持可能な径に設定されており、戻り用コイルスプリング１１０は第２リング部１３４及びばね受けリング１１７の前面により支持される。
【００３２】
弾性片１２０はプランジャ１０６の中段部を基部として上下方向に弾性的に傾動可能であり、上方に向けて弾性付勢され、先端の小突出片１４０がケース本体１０２の突出部１３６に係合可能である。弾性片１２０は、略中央部から上方に向けて形成されたノブ１３８と、先端部から上方に向けて形成された小突出片１４０とを有する。小突出片１４０は、前方面が略垂直面であり、後方に向かってなだらかに低くなる形状となっている。突出部１３６はケース本体１０２の上面に形成されており、後方面が略垂直面であり、前方に向かってなだらかに低くなる形状となっている。初期状態においては、小突出片１４０が突出部１３６の前方傾斜面に当接している。ケース本体１０２における突出部１３６よりも後方には、軸方向に長尺な孔１４２が設けられており、該孔１４２に沿ってノブ１３８が移動可能である。
【００３３】
ケース本体１０２の上面やや前方部からは後方に向かって延在する穿刺ボタン１１６が設けられており、該穿刺ボタン１１６の略中央部下面にはプッシャ１４６が設けられている。プッシャ１４６は、プランジャ１０６が穿刺準備位置に設定されたときにノブ１３８と対向する位置に設けられている（図５参照）。
【００３４】
次に、このように構成される穿刺針１０ａを穿刺装置１００に装着して穿刺を行う手順について説明する。
【００３５】
先ず、チップ本体１２を穿刺装置１００に装着する。すなわち、先端の装着穴にチップ本体１２を挿入し、押し込むことにより、駆動用コイルスプリング１０８を圧縮しながらプランジャ１０６が一体的に後方に移動し、同時にハブ２２の被把持突起２８が２本の挟持材１３０の間にはまり込み、把持される。図５に示すように、駆動用コイルスプリング１０８を十分に圧縮するまでプランジャ１０６が移動したとき、弾性片１２０が弾性変形することにより小突出片１４０が突出部１３６を乗り越える。これにより、弾性片１２０の前方面と突出部１３６の後方面が当接、係合することになり、プランジャ１０６が穿刺準備位置に固定される。このとき、摺動リング１６は、微小段差２４ａに係合したまま前方環状膨出部３６を乗り超えて前進する。
【００３６】
また、チップ本体１２は、次の方法により装着することもできる。すなわち、リチャージレバー１１４を後方に引くことにより、戻り用コイルスプリング１１０及び駆動用コイルスプリング１０８を圧縮しながらプランジャ１０６が一体的に後方に移動する。駆動用コイルスプリング１０８を十分に圧縮する位置までプランジャ１０６が移動したとき、小突出片１４０と突出部１３６が当接、係合し、プランジャ１０６が穿刺準備位置に固定される。
【００３７】
次いで、図４に示すように、穿刺針１０ａのチップ本体１２からキャップ１４ａを抜き取る。このとき、再装着阻止部４６の先端部４６ｂは弾性的に一度縮径し、抜かれた後には再び拡径することになり、開口部４２に対して容易には再挿入することができない。したがって、穿刺針１０ａはキャップ１４ａの有無により使用済み品であるか未使用品であるか外観上容易に識別可能となる。この場合、先端部４６ｂの外径Ａは開口部４２の端面の内径Ｂよりも大径であることから、開口部４２に対する再挿入が一層確実に防止される。また、露呈部４８は開口部４２の端面よりも大径であることから、該露呈部４８の周面を掴むことよりキャップ１４ａを抜き取りやすい。
【００３８】
プランジャ１０６が穿刺準備位置に配置され、チップ本体１２が装着されることにより、ノブ１３８はプッシャ１４６と対向する位置に配置される。
【００３９】
次いで、チップ本体１２の先端部を測定者の皮膚（例えば、指、てのひら、腕等）に押し当て、穿刺ボタン１１６を介してノブ１３８を押し下げる。これにより、小突出片１４０と突出部１３６の係合状態が解除されプランジャ１０６は駆動用コイルスプリング１０８によって弾性付勢され前方へ勢いよく駆動され、把持バー１１８を介して穿刺針ユニット１５を押し出す。
【００４０】
このとき、摺動リング１６は、微小段差２４ａに係合したまま穿刺針ユニット１５と同時に押し出され、内周段差部３４により過度の前進が制限される。
【００４１】
穿刺針ユニット１５の先端に設けられた針２０は、開口部４２の前端面よりも前方まで押し出され皮膚を穿刺する。このとき、プランジャ１０６は勢いよく移動することから、瞬間的に戻し用コイルスプリング１１０を適度に圧縮している。したがって、該戻し用コイルスプリング１１０が元の長さに復帰する弾性力によってプランジャ１０６は即時に後方に押し戻され、プランジャ１０６は後退することになる。
【００４２】
プランジャ１０６が後退する際、摺動リング１６は２本の弾性レバー２４の外側面に弾性的に当接していることから摩擦力によって一体的に後退し、図６に示すように、摺動リング１６は前方環状膨出部３６の前端部で停止する。なお、穿刺した皮膚からは適度に出血するので、穿刺針１０ａ及び穿刺装置１００を外して、所定の血液成分測定装置により血糖値の測定を行う。
【００４３】
この後、図７に示すように、チップ本体１２を穿刺装置１００から引き抜く。この場合、穿刺針ユニット１５後端部の被把持突起２８は挟持材１３０によって把持されていることから、相対的に後方に引き寄せられることになるが、後退する場合には前進時の微小段差２４ａのように確実に係合する手段はなく、摺動リング１６は前方環状膨出部３６を乗り越えることはない。したがって、摺動リング１６は前方環状膨出部３６の前端部で停止したままであり、穿刺針ユニット１５のみが後方へ後退することになり、弾性レバー２４は摺動リング１６から開放されて外径側に向かって拡開する。また、摺動支持部２６の後端面は垂直面となっており、後方環状膨出部４０に係合するためそれよりも後退することはなく、挟持材１３０は被把持突起２８から離脱し、チップ本体１２が穿刺装置１００から引き抜かれることになる。
【００４４】
このように使用済みのチップ本体１２における穿刺針ユニット１５は、弾性レバー２４が拡開していることから摺動リング１６の後端面に当接するため、前方に抜け落ちることはなく（図８参照）、しかも針２０が開口部４２よりも突出することがない。また、摺動支持部２６が後方環状膨出部４０に係合することから、後方に抜け落ちることがない。さらに、摺動支持部２６は使用前の状態のように後方環状膨出部４０によって固定されていないことから、再装着しようとしても挟持材１３０による把持ができず、再使用を防止するインターロック機構が構成されていることになる。
【００４５】
さらにまた、使用済みのチップ本体１２には、キャップ１４ａが装着されてなく、且つ、容易には再装着できないことから、該キャップ１４ａが装着されていないことにより、使用済み品であることを外観上容易に識別可能となる。したがって、従来技術に係るチップ本体では、使用後に再装着した場合に、前記インターロック機構により穿刺がなされず、その時点で初めて使用済み品であることが識別されて未使用品に交換しなければならないという余計な手間が生ずるが、本実施の形態に係る穿刺針１０ａでは、外観上容易に識別可能であることからこのような手間が生じることがない。
【００４６】
次に、第２の実施形態に係る穿刺針１０ｂについて図９を参照しながら説明する。穿刺針１０ｂの説明上、前記穿刺針１０ａと同じ箇所については同符号を付し、その詳細な説明を省略する。
【００４７】
図９に示すように、穿刺針１０ｂは、チップ本体２１２と、キャップ１４ａとからなる。チップ本体２１２は、皮膚を穿刺する穿刺針ユニット２１５と、穿刺針ユニット２１５を保持する筒状のハウジング２１８とを有する。
【００４８】
穿刺針ユニット２１５は、該針２０の後方部と一体的に成型されたハブ２２２を有する。ハブ２２２は、やや後方の円筒形状の摺動支持部２６と、後端に突出した被把持突起２８とを有する。摺動支持部２６の周面には浅い環状のアンダーカット３０が設けられている。
【００４９】
ハウジング２１８は、略筒形状であって先端の縮径部３２と、略中段部から縮径部３２まで延在する小径部２２４と、該小径部よりも後方の大径部２２６と、中程やや後方における外周に設けられたリブ３８と、後方内周面に僅かに突出した後方環状膨出部４０とを有する。後方環状膨出部４０は、アンダーカット３０に軽く係合し、穿刺針ユニット２１５を固定している。小径部２２４と大径部２２６との境界内周面には垂直な段差部２２８が設けられている。
【００５０】
ハブ２２２における摺動支持部２６の外径は大径部２２６の内径と略等しく、摺動支持部２６より前方の部分は小径部２２４の内径と略等しく、先端部は小径部２２４に嵌合している。キャップ１４ａは、前記穿刺針１０ａと同様に、縮径部３２における開口部４２を塞いでいる。
【００５１】
次に、このように構成される穿刺針１０ｂを前記穿刺装置１００に装着して穿刺を行う手順について説明する。先ず、チップ本体２１２を穿刺装置１００に装着する。これにより、ハブ２２２の被把持突起２８が挟持材１３０の間にはまり込んで把持され、駆動用コイルスプリング１０８が圧縮されて弾性片１２０と突出部１３６が係合することになり、プランジャ１０６が穿刺準備位置に固定される。
【００５２】
この後、穿刺針１０ｂからキャップ１４ａを取り外し、チップ本体２１２の先端部を測定者の皮膚に押し当て、穿刺ボタン１１６を介してノブ１３８を押し下げることにより、プランジャ１０６は前方へ勢いよく駆動され、把持バー１１８を介して穿刺針ユニット２１５を押し出す。このとき、穿刺深さはダイヤル部１０４の回転量によって突出片１２８との係合面の厚さが調整されることにより設定される。この直後、戻り用コイルスプリング１１０の作用によって穿刺針ユニット２１５は後退する。
【００５３】
穿刺を行った後、使用済みのチップ本体２１２を穿刺装置１００から引き抜く。この際、穿刺針ユニット２１５後端部の被把持突起２８は挟持材１３０によって把持されていることから、相対的に後方に引き寄せられることになるが、後退する場合には、摺動支持部２６は後方環状膨出部４０に係合するためそれよりも後退することはなく、挟持材１３０は被把持突起２８から離脱し、チップ本体２１２が穿刺装置１００から引き抜かれることになる。
【００５４】
使用済みのチップ本体２１２における穿刺針ユニット２１５は、摺動支持部２６が段差部２２８に当接することから前方に抜け落ちることはなく、摺動支持部２６が後方環状膨出部４０に係合することから、後方に抜け落ちることもない。さらに、摺動支持部２６は使用前の状態のように後方環状膨出部４０によって固定されていないことから、再装着しようとしても挟持材１３０による把持ができず、再使用を防止するインターロック機構が構成されていることになる。
【００５５】
また、穿刺針１０ｂにおける先端の縮径部３２は、前記穿刺針１０ａにおける縮径部３２と同形状であることから、一度引き抜いたキャップ１４ａは、容易に再装着することはできない。したがって、穿刺針１０ｂはキャップ１４ａの有無により使用済み品であるか未使用品であるか外観上容易に識別可能となる。すなわち、インターロック機構により穿刺がなされないことによって初めて使用済み品であることが識別されて未使用品に交換しなければならないという余計な手間が生ずることがない。
【００５６】
なお、本実施の形態に係るキャップ１４ａは、上記のものに限らず、例えば、図１０に示すキャップ１４ｂのように、蓋部４４の端面中央部にグリップ部２３０を設けることにより一層把持させやすくしてもよい。この場合、図１１に示すように、グリップ部２３０を開口部４２に装着可能な径に設定してもよい。これにより、ハウジング１８に抜取り後にグリップ部２３０を開口部４２に装着しておくことができ、一層確実に針先の突出を防止できる。また、この状態では、外観上、使用済みであることを容易に識別することができる。
【００５７】
さらに、本実施の形態に係るキャップ１４ａは、上記のものに限らず、図１２に示すキャップ１４ｃのように、再装着阻止部４６はスリットのない一体円錐形のものであってもよい。
【００５８】
本考案に係る穿刺針及びそのキャップは、上述の実施の形態に限らず、本考案の要旨を逸脱することなく、種々の構成を採り得ることはもちろんである。
【図面の簡単な説明】
【００５９】
【図１】第１の実施の形態に係る穿刺針の断面側面図である。
【図２】穿刺針のキャップの斜視図である。
【図３】穿刺装置の断面側面図である。
【図４】穿刺針のチップ本体からキャップを引き抜いた状態の断面側面図である。
【図５】チップ本体を装着した穿刺装置の断面側面図である。
【図６】穿刺針ユニットが後退する際のチップ本体の断面側面図である。
【図７】穿刺装置から引き抜く際のチップ本体の断面側面図である。
【図８】穿刺装置から引き抜いたチップ本体の断面側面図である。
【図９】第２の実施の形態に係る穿刺針の断面側面図である。
【図１０】グリップ部が設けられたキャップの斜視図である。
【図１１】グリップ部をハウジングの開口部に装着した状態の断面側面図である。
【図１２】スリットのない一体円錐形の再装着阻止部を備えるキャップの斜視図である。
【符号の説明】
【００６０】
１０ａ、１０ｂ…穿刺針                １２、２１２…チップ本体
１４ａ〜１４ｃ…キャップ              １５、２１５…穿刺針ユニット
１８、２１８…ハウジング              ２０…針
３６…前方環状膨出部                  ３８…リブ
４０…後方環状膨出部                  ４２…開口部
４４…蓋部                            ４６…再装着阻止部
４６ａ…基端部                        ４６ｂ…先端部
５２…脚                              １００…穿刺装置
１０８…駆動用コイルスプリング        １１０…戻り用コイルスプリング
２３０…グリップ部
【図１】
0003115405.tif 000003
【図２】
0003115405.tif 000004
【図３】
0003115405.tif 000005
【図４】
0003115405.tif 000006
【図５】
0003115405.tif 000007
【図６】
0003115405.tif 000008
【図７】
0003115405.tif 000009
【図８】
0003115405.tif 000010
【図９】
0003115405.tif 000011
【図１０】
0003115405.tif 000012
【図１１】
0003115405.tif 000013
【図１２】
0003115405.tif 000014